(57)【要約】本発明は、人物により着用される衣類のニットマッサージアイテムに関し、肌をマッサージするためにそれを着用する人物の肌に圧迫する、隆起したニットアクティブ部分（１４）を少なくとも含み、アクティブ部分（１４）が、人物をマッサージするように設計される多数の突出するビーズ（２２）を含むことを特徴とする。【選択図】図４
2017534387.tif 000002
【特許請求の範囲】
【請求項１】
人物により着用される衣類（１０）のニットマッサージアイテムであって、それを着用する前記人物の肌をマッサージするように前記肌に接触する隆起したアクティブニット部分（１４）を少なくとも含み、前記アクティブ部分（１４）が、肌をマッサージするように設計された多数の突出するビーズ（２２）を含むことを特徴とする、前記衣類（１０）のニットマッサージアイテム。
【請求項２】
請求項１に記載の衣類（１０）のニットマッサージアイテムであって、各前記ビーズ（２２）が、全体的に正弦曲線である波の形状を有することを特徴とする、前記衣類（１０）のニットマッサージアイテム。
【請求項３】
請求項１又は請求項２に記載の衣類（１０）のニットマッサージアイテムであって、前記ビーズ（２２）が、互いに対して全体的に平行に配置され、その結果、前記アクティブ部分（１４）が交互の膨らみ及び凹みを形成することを特徴とする、前記衣類（１０）のニットマッサージアイテム。
【請求項４】
請求項１乃至請求項３のいずれか１項に記載の衣類（１０）のニットマッサージアイテムであって、前記ビーズ（２２）が互いに規則的に離間されることを特徴とする、前記衣類（１０）のニットマッサージアイテム。
【請求項５】
請求項１乃至請求項４のいずれか１項に記載の衣類（１０）のニットマッサージアイテムであって、各前記ビーズ（２２）が、全体的に凸状の形状を備えるセクションを有し、当該セクションに関して、上部（２４）が、前記人物の肌を圧迫するように、及び、前記人物が動く際に前記人物の肌をマッサージするように適応されることを特徴とする、前記衣類（１０）のニットマッサージアイテム。
【請求項６】
請求項１乃至請求項５のいずれか１項に記載の衣類（１０）のニットマッサージアイテムであって、前記ビーズ（２２）が、第１のタイプのセクションを有する第１のタイプのビーズ、及び、第２のタイプのセクションを有する第２のタイプのビーズを含んで構成され、前記第１のタイプのビーズ及び前記第２のタイプのビーズが交互に配置されることを特徴とする、前記衣類（１０）のニットマッサージアイテム。
【請求項７】
請求項１乃至請求項６のいずれか１項に記載の衣類（１０）のニットマッサージアイテムであって、前記ビーズ（２２）が、前記衣類（１０）を着用する前記人物の手足の周囲全体に延在するように設計されることを特徴とする、前記衣類（１０）のニットマッサージアイテム。
【請求項８】
請求項１乃至請求項７のいずれか１項に記載の衣類（１０）のニットマッサージアイテムであって、当該アイテムが、サポート効果を提供するように前記衣類（１０）を着用する前記人物を実質的に加圧するため、伸縮自在に変形可能であることを特徴とする、前記衣類（１０）のニットマッサージアイテム。
【請求項９】
請求項１乃至請求項８のいずれか１項に記載の衣類（１０）のニットマッサージアイテムであって、当該アイテムが、伸縮自在に変形可能、かつ、それぞれ異なる力により、前記衣類（１０）を着用する前記人物を実質的に加圧するように作られる、第１のアクティブ部分ストリップ及び第２のアクティブ部分ストリップを少なくとも含むことを特徴とする、前記衣類（１０）のニットマッサージアイテム。
【請求項１０】
請求項１乃至請求項９のいずれか１項に記載の衣類（１０）のニットマッサージアイテムであって、前記アクティブ部分（１４）が、身体により放出される赤外線を、前記衣類（１０）を着用する前記人物の肌へ反射させるように設計されたアクティブ繊維により少なくとも作られることを特徴とする、前記衣類（１０）のニットマッサージアイテム。
【請求項１１】
請求項１０に記載の衣類（１０）のニットマッサージアイテムであって、前記アクティブ繊維が、セラミック結晶を含む繊維であることを特徴とする、前記衣類（１０）のニットマッサージアイテム。
【発明の詳細な説明】
【技術分野】
【０００１】
本発明は、衣類のニットピース（編物片）に関し、それを着用する人物の肌の外観、特にセルライトに作用する。
【０００２】
本発明は、任意の衣類アイテム（衣類製品）に適用され、好ましくはそれを着用する人物の肌に接して着用されること、及び、好ましくは身体のセルライト部分を覆うことを目的とする。
【０００３】
非限定的な実施例として、衣類アイテムは、ショーツ、ぴったりしたズボン、テーパードのズボン、袖等であってよい。
【０００４】
肌での「触接ローリング」マッサージの動きを再現することを目的とした、隆起した生地を含むいわゆる「マイクロマッサージ」衣服など、セルライトへの影響を有することを目的とした多数のタイプの衣類が知られている。
【０００５】
このマッサージは、痩身作用に関係する血液循環を促進することを特に目的とする。
【０００６】
そうした目的のため、ピコット（小さな環状又は玉状の飾り）を備える衣類を形成する生地を提供することが知られており、当該ピコットに関して、突出する自由端が、それを着用する人物の肌をマッサージするように圧迫する。
【０００７】
この「マイクロマッサージ」タイプの衣類は、しばしば、例えば、肌を引き締めること、スリムにすること、または、潤わせることを目的とした有効な活性剤と関連する。
【０００８】
そうした目的のため、有効な活性剤は衣類の繊維に浸透され、肌に布地をこすりつけることによって次第に放出される。
【０００９】
このタイプの、有効な活性剤を浸透させた繊維の不都合なことは、衣類アイテムの継続的な洗濯による、経時的に効果が損失することである。
【００１０】
本発明は、衣類アイテムのマッサージ効果を向上させること、及び、経時的に有効な衣類のアイテムを提案することを特に目的とする。
【００１１】
そうした目的のため、本発明は、人物により着用されることを目的とした、衣類のニットマッサージピースを提案し、それを着用する人物の肌をマッサージするように圧迫し得る隆起したニット部分のアクティブ部分（機能部分）を少なくとも含み、当該アクティブ部分が、人物をマッサージするため、多数の突出するビーズを含むことを特徴とする。
【００１２】
ビーズは、衣類アイテムのマッサージ効果を向上させるため、ピコットよりも多くの肌との連続的な接触面を提供するという利点をもたらす。
【００１３】
好ましくは、マッサージを増強するため、各ビーズは、全体的に正弦波の形状を有する。
【００１４】
また、ビーズは、全体的に互いに平行に配置され、その結果、動き部分が交互の盛上り及び凹みを形成する。
【００１５】
さらに、ビーズは互いに規則的に離間される。
【００１６】
別の特徴によれば、各ビーズは、全体的に形状が凸状であるセクションを有し、当該セクションに関して、上部が、人物の肌上に置かれるように、及び、人物の肌を、その人物が動く際にマッサージするように適応される。
【００１７】
実施形態の変形形態によれば、ビーズは、少なくとも、第１のセクションタイプを有する第１のタイプのビーズ、及び、第２のセクションタイプを有する第２のタイプのビーズから作られ、第１のタイプのビーズ及び第２のタイプのビーズは交互に配置される。
【００１８】
有利に、ビーズは、衣類のアイテムを着用する人物の手足の周囲全体に延在するように設計される。
【００１９】
別の外観によれば、衣類のピースは、サポート効果を提供するようにそれを着用する人物を実質的に加圧するため、伸縮自在に変形されてよい。
【００２０】
実施形態の変形形態によれば、変形形態は、少なくとも１つのアクティブ部分ストリップ及び第２のアクティブ部分ストリップを含み、そうしたストリップは、伸縮自在に変形されてよく、また、それぞれ異なる力によって、それを着用する人物を実質的に加圧するように作られる。
【００２１】
さらに、アクティブ部分は、少なくとも、身体により放出される赤外線を、それを着用する人物へ反射させるように設計されるアクティブ繊維によって作られる。
【００２２】
好ましくは、アクティブ繊維は、セラミック結晶を含む繊維である。
【００２３】
本発明の他の特徴及び利点が、後述の詳細な説明を読むことによって明らかになろう。その理解のために、添付の図面を参照されたい。
【図面の簡単な説明】
【００２４】
【図１】本発明に従った、多数の隆起したマッサージビーズを形成するアクティブ部分を含む衣類のアイテムを示す概略正面図である。
【図２】図１の衣類のピースを示す概略側面図である。
【図３】図１の衣類のアイテムを示す概略背面図である。
【図４】アクティブ部分のビーズを示す図１のフレームＩＶに従った概略詳細図である。
【図５】マッサージビーズの外形を示す、図４の線５‐５に従った概略断面図である。
【発明を実施するための形態】
【００２５】
本説明及び特許請求の範囲を明確にするため、非限定的な、前後方向、垂直及び横断といった用語が、図面に示されるＬ、Ｖ、Ｔの３つに関して用いられる。
【００２６】
この特許請求の範囲において、「上部」、「底部」、「垂直」といった用語及びそれらの派生語は、要素または構成要素の位置または配向を参照するものであり、そのような位置または配向は、衣類を着用する人物が水平面上に直立に立っている場合に考慮される。
【００２７】
全てのこれらの図面について、同一または類似の参照符号は、同一または類似の構成要素の構成要素または組立て品を表す。
【００２８】
図１には、好ましくは肌に接して人物により着用される、ここではぴったりしたズボンである、衣類１０のニットアイテムが示されている。
【００２９】
衣類１０のアイテムは、ニット伸縮性ベルトを備える上部ストリップ１２と、図１から図３において一連の部分により示される、衣類１０のアイテムの垂直の下肢１６及びショーツ１８の両方を形成するアクティブ部分１４と、各下肢１６の端部に配置される底部ニット伸縮性ストラップ２０とを含む。
【００３０】
さらに、アクティブ部分１４は、ニットであり、それを着用する人物の肌を圧迫し得る。
【００３１】
本発明によれば、アクティブ部分１４は、図４で示される、人物をマッサージするように設計される突出する多数のビーズ２２を含む。
【００３２】
そうした目的のため、ビーズ２２は１つ１つが、衣類のピースの底面から、それを着用する人物の肌に向かって隆起される細長い膨らみを形成する。
【００３３】
さらに、ビーズ２２は、垂直に重ね合わされるように全体的に互いに平行に配置され、その結果、図５で理解され得るように、アクティブ部分１４は交互に膨らみ及び凹みを形成する。
【００３４】
好ましくは、ビーズ２２は１つ１つが、衣類１０のピースを着用する人物の肌のマッサージ効果を増大させるように、正弦波の形状を有する。
【００３５】
しかし、限定を伴わずに、ビーズ２２は、全体的に直線の形状を有してもよい。
【００３６】
図４を参照すると、ビーズ２２は編みこまれており、互いに規則的に離間される。
【００３７】
図５の断面で理解され得るように、各ビーズ２２は全体的に凸状の形状とされたセクションを有し、当該セクションに関して、上部２４が、人物の肌を圧迫し、その人物が動く際にその人物の肌をマッサージする。
【００３８】
有利に、各ビーズ２２の上部２４は、人物の肌の大部分を覆うことを可能とする、肌を圧迫する連続的な線を形成する。
【００３９】
別の態様によれば、ビーズ２２は、衣類アイテムを着用する人物の手足全体及びその周囲に、より具体的には、人物の下肢及び骨盤の周囲に延在するように設計される。
【００４０】
さらに、本発明に従った衣類アイテム１０は、サポート効果を提供するように、それを着用する人物を実質的に加圧するために伸縮自在に変形されてよく、アクティブ部分によるマッサージに好都合である。
【００４１】
また、アクティブ部分１４は、温度調節タイプから成り、身体により放出される赤外線を、それを着用する人物の肌へ反射させるように設計されるアクティブ繊維から作られる。
【００４２】
アクティブ繊維は、セラミック結晶を含むポリアミド繊維である。このタイプのアクティブ繊維は、「Ｅｍａｎａ（登録商標）」という商品名によって知られている。
【００４３】
図示されない実施形態の変形形態によれば、衣類アイテム１０は、伸縮自在に変形されてよく、且つ、それぞれ異なる力により、着用する人物を実質的に加圧するように作られる、アクティブ部分の第１のストリップ及びアクティブ部分の第２のストリップを含む。
【００４４】
この特徴により、特に、人物の肌の特定の対象領域に一層強いマッサージを提供することが可能となる。
【００４５】
図示されない本発明の実施形態の別の変形形態によれば、衣類アイテム１０のビーズ２２は、第１のタイプのセクションを示す第１のタイプのビーズ及び第２のタイプのセクションを示す第２のタイプのビーズから少なくとも成り、第１及び第２のタイプのビーズは交互に配置される。
【００４６】
「タイプのセクション」により理解されるのは、特定の垂直の幅及び前後方向の高さなど、特定の外形及び特定の寸法の垂直面である。
【符号の説明】
【００４７】
１０  衣類
１２  上部ストリップ
１４  アクティブ部分
１６  下肢
１８  ショーツ
２０  ストラップ
２２  ビーズ
２４  上部
【図１】
2017534387.tif 000003
【図２】
2017534387.tif 000004
【図３】
2017534387.tif 000005
【図４】
2017534387.tif 000006
【図５】
2017534387.tif 000007
【国際調査報告】
2017534387.tif 000008
2017534387.tif 000009
2017534387.tif 000010